(57)【要約】【課題】  利用者が着用できる電力供給装置の提供。【解決手段】  利用者が着用できる一本のベルトに、電気的に接続された複数個のバッテリーを配置し、このバッテリ−群と追加バッテリーとを前記ベルトから外に延びる電線で接続し、その追加バッテリーに電動工具とバッテリー充電器とを交互に接続できる手段を設ける。【選択図】図１
2006334773.tif 000002
【特許請求の範囲】
【請求項１】
利用者が着用できる一本のベルトと、このベルトに配置され、電気的に互いに接続された複数個のバッテリーと、前記複数個のバッテリ−に接続された第１の端部を持ち、ベルトから外側に延びて先端に第２の端部を持つ電気ケーブルと、この電気ケーブルの第２の端部に接続され、かつ、前記複数個のバッテリーから電力の供給を受ける電動工具に接続されるか、又は前記複数個のバッテリーを充電するための充電器に接続される追加バッテリーとを備えた電動工具用電力供給装置。
【請求項２】
前記追加バッテリーを電動工具とバッテリー充電器に、交互に電気的に接続する手段をさらに備えた請求項１記載の電力供給装置。
【請求項３】
電気的に交互に接続する前記の手段が電気ケーブル線を包含する請求項２記載の装置。
【請求項４】
ベルトに配置される複数個のバッテリーが、互いに間隔をあけて分布している請求項１記載の電力供給装置。
【発明の詳細な説明】
【技術分野】
【０００１】
本発明は、動力工具に電力を供給するための装置に関する。
【背景技術】
【０００２】
ベルトのような衣類を動力工具への電力供給具に用いることは公知である。このタイプの電力供給具は、米国特許第４，６６７，３６２号明細書に記載されており、このものは、再充電に際してバッテリーと接続できる接点を持つ工具が収納されるホルスターと、ホルスターと係合し、ホルスターの開口部を介して工具の接点に電流を流す支持体とを備えている。この電力供給具では、しかし、バッテリーがホルスターに支持されてもいなければ、接続されてもいない。
【０００３】
米国特許第４，８２７，５３４号には、太陽電池式ベストが記載されている。このベストは、リアパネルに搭載されて互いに接続された複数個の光電池を備え、これら複数個の光電池は、再充電可能なバッテリーを充電するためバッテリーに接続され、あるいは再充電可能なバッテリーを備えた動力工具の入力ジャックに接続される。この場合、上記の再充電可能なバッテリーは、ベルトに取り付けた又はベルトから吊り下げたケース内に収納されている。
【０００４】
米国特許第Ｄ３３３，２１５号には、コードレス・ドリルのホルスターを持つポーチ（袋）が記載されている。この工具用ポーチは、コードレス・ドリルが収納できる小部屋を持つが、バッテリーの配置については、何の記載もない。
【０００５】
米国特許第５，２１１，３２１号は、バッテリーと電源ベストを記載し、そのベストには複数個のバッテリーと１つの充電器を収納するための複数個の小部屋が用意されている。バッテリーと充電器はベストに直接取り付けられている。
【０００６】
米国特許第５，９２９，５９７号には、ベストに取り付けたバッテリーパックを持つ携帯用電源システムと、コードを介してバッテリーパックと接続され、電気ドリルで例示される電気装置に接続可能はアダプターが記載されている。この電源システムでも、バッテリー全てはベストに直接取り付けられている。
【０００７】
米国特許第５，６８０，０２６号には、バッテリー装置を持った工具用ベルトが記載されている。この装置では、複数個のバッテリーがベルトに配置され、１本のケーブルがベルトからバッテリーを再充電するための充電器まで延びている。
【０００８】
米国特許第６，００７，９４０号及び同第６，１０６，９７１号には、電動工具と、工具から遠隔の低率のバッテリーパックと、前記の工具とパックとを接続するケーブルを備えた装置が記載されている。この特許の一実施例では、全てのバッテリーがベルトに直接取り付けられ、他の実施例では、全てのバッテリーが作業者のベストに取り付けられる。
【０００９】
米国特許出願第２００１/００３５７３６号には、ドリル用のポケットとバッテリーパック用のポケットが付いたポーチを備える工具収納具が記載され、この収納具ではドリルがコードを介してバッテリーパックに取り付け可能である。
【００１０】
米国特許第６，２６０，９７８号には、バッテリーと、互いに接続された複数個のバッテリーホルダー付き軽量ベルトと、照明用光源が記載されている。
【００１１】
米国特許第６，５０１，１９７号には、遠隔のバッテリーパックを備えた動力工具が記載され、前記バッテリーパックは、ケーブルで互いに接続され、工具とも接続されてバッテリーベルトに配置された複数個のバッテリーを備えている。
【００１２】
米国特許第６，５５６，８４３号には、アダプターを介して充電できるバッテリーパックを備えた電動工具用電源装置が記載されている。
【発明の開示】
【発明が解決しようとする課題】
【００１３】
本発明の目的は、既往の電力供給具ないしは電源装置を更に改良することにある。
【００１４】
本発明に係る電動工具用電力供給装置又は電力供給具は、利用者が身に着けることができる一本のベルトと、このベルトに配置され、互いに電気的に接続された複数個のバッテリーと、この複数個のバッテリ−に接続した第１の端部を持ち、ベルトから外側に延びて先端に第２の端部を持つ電気ケーブルと、この電気ケーブルの第２の端部に接続され、かつ、前記複数個のバッテリーから電力の供給を受ける電動工具に接続されるか、あるいは前記複数個のバッテリーを充電するための充電器に接続される追加バッテリーとを備えている。
【００１５】
上記したような構成にある本発明の電力供給装置は、コンパクトであって、使用に便利であり、しかも、電動工具との接続及びバッテリー充電器との接続を簡単に行うことができる。
【発明を実施するための最良の形態】
【００１６】
本発明を特徴付けている新規な構成要素は、特許請求の範囲にまとめられているが、本発明に係る電力供給具についてのさらに詳しい構成やその操作方法は、図面を参照して行う以下の説明から、これを理解することができる。そして、以下の説明は本発明の技術的範囲を限定するものではない。
【００１７】
電動工具に電力を供給する本発明の装置、すなわち、電力供給具は、全体が符号１で示されている。図示の電力供給具は、利用者が身に着けるベルト２の体裁にある。このベルトは、利用者が着用した時に閉じられ、外す時に開けられる開閉自在なバックル（図示略）を備えている。このバックルは伝統的なものであって差し支えない。
【００１８】
動力工具用の電力供給具は、さらに複数個のバッテリー４を備える。バッテリー４は、ベルト２に任意の間隔で配置される。バッテリー４はベルト２に恒久的に取り付けておくことができるほか、着脱自在に取り付けることもでき、また、ベルトに設けた専用のポケットに収納することもできる。バッテリー４は公知の電気的接続手段で互いに接続されてバッテリーパックを形成する。
【００１９】
本発明に係る電力供給装置又は電力供給具は電気ケーブル５を備え、そのケーブルの第１端部６は電気的接続手段に接続され、この電気的接続手段は、バッテリー４全てに接続されるか、あるいはバッテリー４の少なくとも１つに接続される。この電気ケーブル５は、ベルト２からはみ出して外側に延びて第２の端部７を持つ。
【００２０】
本発明の工具用電力供給装置は、さらに電気ケーブル５の第２の端部７に接続された追加バッテリー８を備えている。この追加バッテリー８は、ベルトから離れて位置にあり、符号９で示す電気的接続手段を備える。この電気的接続手段９を介して追加バッテリー８は、電動工具や充電器に接続される。電気的接続手段９は、例えば、追加バッテリー８から延びる電気ケーブルとすることができる。
【００２１】
電動工具１０を稼動させるに際しては、利用者がベルト２を締め、電気的接続手段９を電動工具に接続してバッテリー４及び８から電力を工具１０に供給する。バッテリーを再充電しなければならない時は、電気的接続手段９を充電器や電力供給網などの充電源１１に接続する。
【００２２】
上に説明した本発明の一具体例は、本発明の技術的範囲を限定するものではなく、本発明の基本的技術思想から逸脱しない範囲で、上記具体例を別の態様に変更することができる。
【図面の簡単な説明】
【００２３】
【図１】本発明に係る動力工具用電力供給装置の一具体例の透視図。
【符号の説明】
【００２４】
１：電力供給装置        ２：ベルト          ４：バッテリー内ネジ
５：電線                ６：電線の一端      ７：電線の他端
８：付加的バッテリー    ９：電気的接続手段  １０：電動工具
１１：充電源
【図１】
2006334773.tif 000003